(57)【要約】【課題】原子力プラントの定期点検作業における系統の隔離計画ならびに隔離の実施・復旧管理等の効率化に有用な原子力プラントの系統隔離システムに関し、管理の必要な隔離機器を合理的な範囲のものに削減することによって、効率的な隔離作業計画の実施と隔離実施段階における系統管理担当者の負担軽減を図り、ヒューマンエラーの発生確率を低減させる。【解決手段】系統毎に多数の点検対象機器を有して構成されている原子力プラントにおいて、上記各系統内の多数の点検対象機器各々の点検を行うに際して採用される系統隔離システムであって、上記各系統内における複数の点検対象機器を包含する点検範囲を一括隔離区分として設定するとともに、上記点検範囲の上流側および下流側を仕切る所定の境界弁を、当該一括隔離区分を包括する一括隔離弁として、一括隔離を行うようにした。【選択図】        図１
2011257201.tif 000002
【特許請求の範囲】
【請求項１】
系統毎に多数の点検対象機器を有して構成されている原子力プラントにおいて、上記各系統内の多数の点検対象機器各々の点検を行うに際して採用される系統隔離システムであって、上記各系統内における複数の点検対象機器を包含する点検範囲を一括隔離区分として設定するとともに、上記点検範囲の上流側および下流側を仕切る所定の境界弁を、当該一括隔離区分を包括する一括隔離弁として、一括隔離を行うようにしたことを特徴とする原子力プラントの系統隔離システム。
【請求項２】
各系統毎の点検対象機器および隔離機器を示す系統図としてＣＡＤデータを用い、同ＣＡＤデータ上で一括隔離弁を設定し、該一括隔離弁による一括隔離区分内の配管・機器を色塗り設定することによって、一群の点検対象機器に対する隔離操作機器を自動的に抽出するようにしたことを特徴とする請求項１記載の原子力プラントの系統隔離システム
【請求項３】
各系統毎の点検対象機器を示す系統図としてＣＡＤデータを用い、同ＣＡＤデータ上に、弁の開閉操作状態を示すシンボルと、該弁開閉操作の根拠となる隔離操作票の内容を検索することができるシンボルとを表示することによって、隔離・復旧操作に対応した当該系統の状態を把握するようにしたことを特徴とする請求項１又は２記載の原子力プラントの系統隔離システム。
【発明の詳細な説明】
【技術分野】
【０００１】
本願発明は、原子力プラントの定期点検作業等における系統の隔離計画、隔離の実施・復旧管理等の効率化に有用な原子力プラントの系統隔離システムの構成に関するものである。
【背景技術】
【０００２】
一般に原子力プラントの定期点検等では、各種の配管・計装系統上に存在する多数の点検対象機器を所定の点検計画に基づいて順次点検するが、該点検作業に先立って点検対象機器を系続から隔離し、その上で配管内の水抜きを行うなどの安全対策が必要である。
【０００３】
従来、この点検対象機器の系統からの隔離作業計画においては、一般に紙製の系統図（配管・計装線図）を用い、同系統図上に点検対象機器を書き込むことによって隔離操作を行う機器を決定し、それに対応して必要な隔離操作手順などを作業票（隔離操作票）に転記することによって実施している。
【０００４】
今、このような従来の系統隔離方法の一例について、配管ＰＩＰ−１〜ＰＩＰ−１０上に、点検対象機器として、液体貯留用タンク（Ｔ−１）、液体供給用ポンプ（Ｐ−１）、計装機器（Ｉ−１）、制御弁Ｖ−７、液体熱交換器（Ｅ−１）、その他の付属機器として、電動弁Ｖ−１、Ｖ−４、開閉弁Ｖ−２、Ｖ−３、Ｖ−５、Ｖ−６、Ｖ−８〜Ｖ−１２、逆止弁Ｖ−２０、Ｖ−２１、ドレン弁Ｖ−１３、Ｖ−１５、Ｖ−１６、Ｖ−２２、ベント弁Ｖ−１４、Ｖ−１７、バイパス弁Ｖ−１８、Ｖ−１９等を備えた図９の系統図を参照して詳細に説明する。
【０００５】
図９の系統図において、液体貯留用タンク（Ｔ−１）、液体供給用ポンプ（Ｐ−１）、制御弁（Ｖ−７）、計装機器（Ｉ−１）等の点検を行う場合、各々の点検機器（Ｔ−１）、（Ｐ−１）、（Ｖ−７）、（Ｉ−１）に対する隔離および配管の水抜き操作手順などを記載した作業票を作成する。
【０００６】
例えば、ポンプ（Ｐ−１）の点検には、
・機器の隔離として入口弁Ｖ−５／出口弁Ｖ−６の閉止
・配管ＰＩＰ−７の水抜きとして、ドレン弁Ｖ−１６／ベント弁Ｖ−１７の開操作
・ポンプ（Ｐ−１）の電源および操作スイッチの操作禁止措置
・・・・などがある。
【０００７】
また、タンクＴ−１および計装機器Ｉ−１の点検には、
・機器の隔離として入口弁Ｖ−１、Ｖ−３／出口弁Ｖ−４の閉止
・タンクＴ−１の水抜きとして、ドレン弁Ｖ−１５の開操作
・計装機器Ｉ−１の電源および操作スイッチの操作禁止措置
・・・などがある。
【０００８】
さらに、制御弁Ｖ−７の点検には、
・機器の隔離として、入口弁Ｖ−６／出口弁Ｖ−８、Ｖ−９の閉止
・配管ＰＩＰ−（後段部）の水抜きとして、バイパス弁Ｖ−１８、ドレン弁Ｖ−２２の開操作
・・・・などがある。
【０００９】
図１０は、上記図９のような系統における点検対象機器の点検工程の一例である。
【００１０】
この図１０の点検工程の場合、ポンプ（Ｐ−１）の点検と制御弁（Ｖ−７）の点検はｎ＋７〜ｕ日間の間隔が空くため、この期間における両方の点検に共通の隔離弁（Ｖ−６）の状態に注意しなければならない。
【００１１】
すなわち、隔離弁（Ｖ−６）は通常運転状態では開であるため、ポンプ（Ｐ−１）の点検終了後に隔離弁（Ｖ−６）が復旧(開)されていれば、手動弁（Ｖ−７）点検時に再度隔離（閉）し、復旧時に開にすれば良い。
【００１２】
しかし、ポンプ（Ｐ−１）の点検終了後に隔離を復旧せず、隔離弁（Ｖ−６／Ｖ−５）を閉状態のまま制御弁（Ｖ−７）の点検に引き継げば、制御弁（Ｖ−７）の点検終了後は、隔離弁（Ｖ−８／Ｖ−９／Ｖ−６）とポンプ（Ｐ−１）の隔離弁（Ｖ−５）についての復旧操作が必要となる。したがって、点検作業前に行う隔離操作機器と点検作業終了後に行う復旧操作機器が異なることになり、系統管理が複雑になる。
【００１３】
ところで、上記のような定期点検において点検が必要な点検対象機器は、実際には１，０００台規模に及び、上記隔離作業計画には多くの時間と労力を要する。
【００１４】
したがって、最近では種々のシステム化が進められており、例えば個々の点検対象機器に対する隔離機器を予め抽出し、データべース化する技術（特許文献１）や、上述した紙製の系統図に変えてＣＡＤデータによる系統図を採用し、同系統図のＣＡＤデータ上において、上記点検対象機器の周辺機器を自動的に隔離機器として抽出する技術（特許文献２）などが提案されている。
【先行技術文献】
【特許文献】
【００１５】
【特許文献１】特許第３１６４７５７号公報
【特許文献２】特開２００１−３４４０１１号公報
【発明の概要】
【発明が解決しようとする課題】
【００１６】
しかし、上記図９のような点検対象機器毎に個別に系統を隔離する方法では、仮にデータベース化したとしても、全体として隔離すべき機器の数が膨大になり、隔離機器の重複や干渉(点検対象機器が他の点検対象機器の隔離機器になる等)を考慮した複雑な隔離作業計画が必要となり、このために多くの労力と時間がかかる問題がある。
【００１７】
また、上記点検機器毎に隔離を行う方法では、系統内に配管の水抜きができていない箇所が残ることになり、点検作業毎の水抜き状態の確認などにより作業が複雑化する。
【００１８】
さらに、隔離実施段階においても、点検工程に即した隔離・復旧操作が頻繁になり、系統状態を管理する系統管理担当者の負担が多くなり、誤操作などのヒューマンエラーが発生する確率も高くなる。
【００１９】
本願発明は、このような従来技術の問題に鑑み、管理の必要な隔離機器の数を一括隔離により合理的に削減することによって、より効率的な隔離作業計画の実施と隔離実施・復旧段階における系統管理担当者の負担軽減を図り、可及的にヒューマンエラーの発生確率を低減させるようにした原子力プラントの系統隔離システムを提供することを目的とするものである。
【課題を解決するための手段】
【００２０】
本願発明は、上述の問題を解決するために、次のような有効な課題解決手段を備えて構成されている。
【００２１】
（１）  請求項１の課題解決手段
この発明の課題解決手段は、系統毎に多数の点検対象機器を有して構成されている原子力プラントにおいて、上記各系統内の多数の点検対象機器各々の点検を行うに際して採用される系統隔離システムであって、上記各系統内における複数の点検対象機器を包含する点検範囲を一括隔離区分として設定するとともに、上記点検範囲の上流側および下流側を仕切る所定の境界弁を、当該一括隔離区分を包括する一括隔離弁として、一括隔離を行うようにしたことを特徴としている。
【００２２】
このような構成によると、定期点検の必要な原子力プラントの系統内における複数の点検対象機器を包含する範囲を所定の一括隔離区分として定義し、その範囲を区切る所定の境界弁を一群の点検機器を包括する一括隔離弁として系統を隔離し、１回の水抜き作業を行うだけで、上記複数の点検対象機器の全ての点検を行うことができるので、従来のように点検対象機器毎に系統を隔離する隔離システムに比べて、隔離操作ならびに管理対象の隔離機器を大きく削減することが可能となる。
【００２３】
（２）  請求項２の課題解決手段
この発明の課題解決手段は、上記請求項１の発明の課題解決手段の構成において、各系統毎の点検対象機器および隔離機器を示す系統図としてＣＡＤデータを用い、同ＣＡＤデータ上で一括隔離弁を設定し、該一括隔離弁による一括隔離区分内の配管・機器  を色塗り設定することによって、一群の点検対象機器に対する隔離操作機器を自動的に抽出するようにしたことを特徴としている。
このような構成によると、点検対象機器を配置した系統図のＣＡＤデータ上で一括隔離弁を設定し、同一括隔離弁で囲まれた隔離範囲内の配管または機器を起点として、当該一括隔離弁までの系統の色塗りを拡張するだけで、一括隔離範囲内にある各点検対象機器を一括隔離範囲と対応付ける作業を容易に機械化することができる。
【００２４】
また、このような隔離範囲の色塗り（色分け）機能があると、もしも上記系統図ＣＡＤデータ上の予期しない系統範囲に色塗りが拡張された場合、使用者は上述した一括隔離弁の設定が不適切であることに気付くため、一括隔離弁の設定ミスのチェック機能も実現されることになる。
【００２５】
（３）  請求項３の課題解決手段
この発明の課題解決手段は、上記請求項１又は２の発明の課題解決手段の構成において、系統図であるＣＡＤデータ上に、隔離・復旧操作に対応した当該系統の状態を弁の開閉操作状態を示すシンボルと、該弁開閉操作の根拠となる隔離操作票の内容を検索できるシンボルとを表示することによって、隔離・復旧操作に対応した当該系統の状態を把握するようにしたことを特徴としている。
【００２６】
このような構成によると、系統図のＣＡＤデータ上に隔離・復旧操作に対応した系統の状態を弁の開閉操作状態を示すシンボルと、隔離・復旧操作のための弁開閉操作の根拠となる隔離操作票の内容を検索することができるシンボルとを表示するだけで、隔離・復旧操作に対応した当該系統の状態を容易に把握することができるようになる。
【図面の簡単な説明】
【００２７】
【図１】本願発明の実施の形態に係る原子力プラントの一括隔離システムにおける一括隔離方法を示す図である。
【図２】同図１の一括隔離方法によって一括隔離を行った場合の点検工程の一例を示す図である。
【図３】同図１の一括隔離に際して、一括隔離範囲内における点検対象機器（配管その他の機器）を色塗りすることによって識別可能とした図である。
【図４】同図１の一括隔離方法を実施するに際して、一括隔離範囲内における点検対象機器（配管その他の機器）の繋がり情報の抽出方法を示す図である。
【図５】同図１の一括隔離方法を実施するに際しての一括隔離範囲の設定方法を示す図である。
【図６】同図１の一括隔離方法を実施するに際しての一括隔離操作票の作成方法を示す図である。
【図７】同図１の一括隔離方法を実施するに際しての一括隔離範囲内におけるピンボード表示方法を示す図である。
【図８】同図１の一括隔離方法における隔離実施・復旧パターンを示す図である。
【図９】従来の原子力プラントの隔離システムにおける隔離方法を示す図である。
【図１０】同図９の隔離方法によって隔離を行った場合の点検工程の一例を示す図である。
【発明を実施するための形態】
【００２８】
以下、本願発明の実施の形態について、添付の図面を参照しながら詳細に説明する。
【００２９】
先ず図１〜図８は、本願発明の実施の形態に係る原子力プラントにおける系統隔離システムの構成を示している。
【００３０】
この実施の形態における系統隔離システムは、その基本構成として、系統毎に多数の点検対象機器を有して構成されている原子力プラントにおいて、上記各系統内の多数の点検対象機器各々の点検を行うに際して採用される系統隔離システムであって、ＣＡＤ機能を備えたコンピュータシステム上において、上記各系統内における所定の数の点検対象機器を包含する点検範囲を一括隔離区分エリアとして設定するとともに、同エリアと他のエリアを仕切る所定の境界弁を当該点検範囲を包括的に隔離する一括隔離弁として隔離し、点検するようにしたことを特徴としている。
【００３１】
すなわち、この実施の形態における一括隔離とは、当該原子力プラントの所定の系統内における複数の点検対象機器を包含する所定の広さの包括的な点検範囲を、同範囲を仕切る所定の境界弁により一括して隔離することをいう。そして、同一括隔離範囲内については、１回の隔離操作によって同範囲内の全ての配管の水抜き、各種点検対象機器の駆動装置の電源、操作スイッチ等の隔離（操作禁止）を行う。
【００３２】
今図１は、該一括隔離システムによる一括隔離の一例として、前述した従来例（図９）と同様の系統において、点検対象の機器である液体貯留用のタンク（Ｔ−１）、液体供給用のポンプ（Ｐ−１）、必要な計装機器（Ｉ−１）および制御弁(Ｖ-7)その他を包含する一括隔離区分Ａ、ならびに同じく点検対象の機器である液体用の熱交換器（Ｅ−１）その他を包含する一括隔離区分Ｂの２つの区分エリアを示している。
【００３３】
なお、以下の説明では、電動弁Ｖ−１、Ｖ−４も、単に開閉弁として説明する。
【００３４】
この場合において、先ず一括隔離区分Ａに着目すると、上流側開閉弁（Ｖ−１／Ｖ−２／Ｖ−３）と下流側の開閉弁（Ｖ−８／Ｖ−９）の各々で囲んだ複数の点検対象機器Ｔ−１、、Ｉ−１、Ｐ−１、Ｖ−７を有する所定の系統範囲（上述した従来の３つの隔離範囲）をまとめて隔離し、１回の作業で水抜きを可能とすることによって、基本的な点検作業条件を有効に確保できるようにしている。
【００３５】
水抜きは、同系統の液体貯留用タンク（Ｔ−１）、液体供給ポンプ（Ｐ−１）、手動弁Ｖ−７、配管ＰＩＰ−６、ＰＩＰ−７の各々に設けられている各開閉弁（ドレン弁Ｖ−１５）、（ドレン弁Ｖ−１６）、（ドレン弁Ｖ−１３）、（ドレン弁Ｖ−２２）、（ベント弁Ｖ−１４）、（ベント弁Ｖ−１７）、（バイパス弁Ｖ−１８）を開放することによって行う。
【００３６】
ここで、上記一括隔離区分Ａ，Ｂの各々を機器の干渉などを起こすことなく効果的に仕切る各区分Ａ，Ｂの境界に位置する各開閉弁（Ｖ−１／Ｖ−２／Ｖ−３／Ｖ−８／Ｖ−９）のそれぞれを一括隔離弁と称する。
【００３７】
次いで、機器の点検の都度、上記点検対象機器（Ｔ−１）、（Ｉ−１）、（Ｐ−１）、（Ｖ−７）毎に必要な固有の最少限の隔離操作（電源ＯＦＦその他の構造）を行った後、同点検対象機器の点検を実施する。
【００３８】
一括隔離区分Ｂについても、これと同様にして隔離し、点検作業を行う。
【００３９】
このように、この実施の形態における基本的な点検作業条件の確保（安全上の措置）は、複数の点検対象機器（Ｔ−１）、（Ｉ−１）、（Ｐ−１）、（Ｖ−７）を含む広い点検範囲（図９の３区分を含む１つの範囲）を一括隔離することで完了するため、機器の点検に伴う隔離および隔離範囲の設定は、その点検担当部所に任せることができ、系統管理者の管理すべき隔離機器の数は、先に述べた従来の技術の場合に比べて、格段に減少する。
【００４０】
また、以上のように、系統の状態を複数の点検対象機器を包括する一括隔離区分単位Ａ，Ｂで管理することにより、閉じるべき隔離弁の数を最少化することができ、隔離操作に係わる作業時間を大幅に短縮することができる。
【００４１】
さらに、それらによって系統管理者の負担も低減することができ、可及的にヒューマンエラーの発生も抑制することができる。
【００４２】
次に図２は、上述のようにして一括隔離を行った場合の対応する点検対象機器（Ｔ−１）、（Ｉ−１）、（Ｐ−１）、（Ｖ−７）、（Ｅ−１）の点検工程の例である。
【００４３】
上述した一括隔離区分Ａの場合、点検範囲内の全ての点検対象機器（Ｔ−１）、（Ｉ−１）、（Ｐ−１）、（Ｖ−７）の点検が可能な期間を一括隔離期間Ａとし、また一括隔離区分Ｂの範囲内の全ての点検機器（Ｅ−１）の点検が可能な期間を一括隔離期間Ｂとして、それぞれ隔離工程を定める。
【００４４】
そして、同一括隔離では、一括隔離区分Ａ，Ｂ内の配管ＰＩＰ−２，ＰＩＰ−３，ＰＩＰ−６，ＰＩＰ−７，ＰＩＰ−８の水抜き等の措置をまとめて１回で実施することができるため、従来のような点検機器毎のそれらの措置が不要になり、前述した従来技術の場合に比べて、全体として点検工程の短縮が可能となる（図１０の場合と対比）。
【００４５】
また、当該原子力プラントのプラント全域にわたって、予め標準的な一括隔離区分を定めることによって、一括隔離工程そのものをも標準化することができる。そして、同標準化によって、系統管理者の負担が大きく低減され、さらにヒューマンエラーの発生も抑制できるようになる。
【００４６】
ところで、上記のような一括隔離区分Ａ，Ｂの範囲を計画するにあたっては、例えば従来のものと同様の印刷された紙製の系統図上に点検対象機器並びに過去の実績などによって想定した一括隔離弁の印しを付け、さらに図３に示すような一括隔離区分Ａ，Ｂ各範囲内の各配管ＰＩＰ−２，ＰＩＰ−３，ＰＩＰ−６，ＰＩＰ−７，ＰＩＰ−８，ＰＩＰ−１０をマーカーなどによって色塗り（色分け）した一括隔離区分図（例えば一括隔離区分Ａ内の配管ＰＩＰ−２，ＰＩＰ−３，ＰＩＰ−６，ＰＩＰ−７，ＰＩＰ−８の色をマゼンタ色、一括隔離区分Ｂ内の配管ＰＩＰ−１０の色を緑色としたもの）を作成し、これに基いて一括隔離を計画することが考えられる。
【００４７】
そして、この作業はプラント全域にわたって行われるが、この場合、上記対象とする系統図は２００枚余りとなるため、きわめて多くの労力を要することになる。
【００４８】
さらに、この図３の一括隔離区分図を参照しながら一括隔離区分Ａ，Ｂの隔離操作を行うために必要な隔離機器（開閉弁、操作スイッチ、電源など）の隔離操作、ならびに配管の水抜きに必要な各種の弁（ベント弁Ｖ−１４、Ｖ−１７、ドレン弁Ｖ−１３、Ｖ−１５、Ｖ−１６、Ｖ−２２、バイパス弁Ｖ−１８、Ｖ−１９）の操作を一括隔離区分Ａ，Ｂごとに作業票（一括隔離操作票）に抽出・記載する必要がある。
【００４９】
そこで、このような負担を軽減する方法として、例えば市販のＣＡＤシステムを改良し、例えば図４に示すように、同ＣＡＤシステムによって作成した系統図のＣＡＤデータＤ１から機器・配管の繋がり情報を抽出することによって、図４中のＤ２に示すような［図面番号ＦＩＧ−６・・・、接続元機器番号ＰＩＰ−１・・・、接続先機器番号Ｖ−１・・・］の組み合わせからなる繋がりデータＤ２を作成し、機器・配管の繋がり情報記録用のデータベースＤＢ１に登録する。
【００５０】
ここで、上記改良とは、市販ＣＡＤシステムのＡＰＩ（アプリケーション・プログラム・インターフェイス）を使用して、市販ＣＡＤシステムを外部のプログラムから制御することをいう。
【００５１】
次に、上記のデータベースＤＢ−１への登録を完了した系統図のＣＡＤデータＤ１′上に、図５のように一括隔離弁Ｖ−１、Ｖ−２、Ｖ−８、Ｖ−９を設定する（Ｖ−８、Ｖ−９の図示は省略）。
【００５２】
次に、該一括隔離弁Ｖ−１、Ｖ−２、Ｖ−８、Ｖ−９を設定したＣＡＤデータＤ１′図上において、さらに図５に示すように、当該一括隔離区分に設定する色（マゼンタ）を指定した後、上記設定された一括隔離弁Ｖ−１、Ｖ−２、Ｖ−８、Ｖ−９で囲まれた系統の任意の配管ＰＩＰ−２，ＰＩＰ−３，ＰＩＰ−６，ＰＩＰ−７，ＰＩＰ−８または機器をマウスで指定する。すると、その「隔離範囲色塗り機能」により、上記機器・配管繋がりデータベースＤ１から検索した機器・配管の繋がりデータＤ２に基づき、上記一括隔離区分Ａ内の配管ＰＩＰ−２，ＰＩＰ−３，ＰＩＰ−６，ＰＩＰ−７，ＰＩＰ−８を順次上述のように色塗り（色分け）することができる。
【００５３】
この配管の色塗り（色分け）は、配管ＰＩＰ−２，ＰＩＰ−３，ＰＩＰ−６，ＰＩＰ−７，ＰＩＰ−８が上記設定された一括隔離弁Ｖ−１、Ｖ−２、Ｖ−８、Ｖ−９に到達するまで自動的に継続される。
【００５４】
このような隔離範囲の色塗り（色分け）機能により、もしも上記系統図ＣＡＤデータＤ１′上の予期しない系統範囲に色塗りが拡張された場合、使用者は上述した一括隔離弁の設定が不適切であることに気付くため、一括隔離弁の設定ミスのチェック機能が実現される。
【００５５】
その後、図示「隔離区分機器抽出機能」により、上記系統図ＣＡＤデータＤ１′上に色塗りされた一括隔離区分Ａの範囲内にある機器・配管を抽出し、［図面番号（ＦＩＧ６・・・）、識別色（マゼンタ）、機器番号（Ｖ−１・・・）］からなる隔離区分設定データＤ３を作成し、隔離区分設定データベースＤＢ２に登録する。
【００５６】
また同じく図示「隔離区分機器抽出機能」により、上記系結図ＣＡＤデータＤ１′上に設定された一括隔離弁（Ｖ−１、Ｖ−３・・・）を抽出し、［図面番号（ＦＩＧ−６・・・）、機器番号（Ｖ−１、Ｖ−３・・・）］からなる一括隔離弁データＤ４を作成し、一括隔離弁データべースＤＢ３に登録する。
【００５７】
次に上記のようにして系統図ＣＡＤデータＤ１′上に作成した図６のような一括隔離区分図から、マウスによって指定した図示のような一括隔離区分の隔離操作票データＳ１〜Ｓ３をそれぞれ抽出し、それらの各々に基いて「一括隔離操作票」を自動的に作成する。
【００５８】
すなわち、該一括隔離票の作成にあたっては、図６に示すように、先ず上記図５の「一括隔離範囲設定機能」で作成した一括隔離弁データベースＤＢ３から該当する一括隔離区分内の一括隔離弁の番号（Ｖ−ｎ）を抽出し、機器情報データベースＤＢ４から検索した機器番号（Ｖ−１・・・）、操作内容（閉・・・）、関連機器情報（Ｖ−１−Ｅ・・・）その他の情報（Ｖ−１−ＣＳ・・・）・・・Ｄ５と共に一括隔離操作票データＳ１として出力する。
【００５９】
また上記図５の「一括隔離範囲設定機能」で作成した隔離区分設定データベースＤＢ２から該当する一括隔離区分の識別色が設定されたベント弁、ドレン弁を抽出し、機器情報データベースＤＢ４から検索した操作内容Ｄ５などと共に一括隔離操作票データＳ２として出力する。
【００６０】
さらに図５の「一括隔離範囲設定機能」で作成した隔離区分設定データベースＤＢ２から該当する一括隔離区分の識別色が設定された点検対象機器を抽出し、機器情報データベースＤＢ４から検索した関連機器情報Ｄ５などを一括隔離操作票データＳ３として出力する。
【００６１】
なお、機器情報データベースＤＢ４は、上記［機器番号、操作内容、関連機器情報、その他情報］からなる機器情報データＤ５によって予め作成する。
【００６２】
さらに、上記系統の隔離実施状況を管理するにあたっては、これまで操作手順書に基づく操作実績を帳票や計算機に入力して、復旧操作等の漏れがないように管理すると共に、系統の状態を把握するために、多くの系統図を壁等に掲示し、隔離・復旧操作を実施する都度、同系統図上の隔離機器に隔離操作を実施した場合にはピン(待針)を刺し、復旧操作を実施した場合は同ピンを抜くなどの標識付与を行うか、または消去可能なように表面をコーティングした系統図中に水性マーカ等で当該操作実績を記入または消去することにより管理していた。
【００６３】
しかし、このような人為的作業では効率が悪く、折角のシステムの利点を生かすことができない。
【００６４】
そこで、これについても、上述の場合と同様に市販ＣＡＤシステムを改良し、計算機に登録された隔離操作の実施・復旧データにより、例えば図７に示すように、上述した系統図ＣＡＤデータＤ１′上の各機器のシンボルに対して、操作内容ならびに関係する隔離操作票の件数を示す標識（１，２・・・の数字）を設定した待針形状のピンボード表示を行うようにする。
【００６５】
すなわち、このピンボード表示における標識は、例えば図７のように隔離弁の操作内容（開／閉状態）を示すシンボルである開，閉の文字、各配管のドレン口に対する水抜きホースＨの取付けを示すシンボルであるアルファベットＨおよび隔離操作を行った隔離操作票の件数（図７中の数字１〜２参照）を表すシンボルである丸囲み数字１，２で構成する。
【００６６】
また、例えば図８のように、隔離実施中において、上記ピン（待針）のシンボルが設定されている機器を計算機のマウスで指定し、当該機器ならびに当該機器の関連機器に対する隔離操作内容、操作者、復旧予定日などを検索表示するようにする（画面図Ｄ６参照）。
【００６７】
このような構成を採用すると、上述した系統隔離システムの利便性が一層向上する。
【符号の説明】
【００６８】
ＰＩＰ−１〜ＰＩＰ−１０は配管、Ｔ−１は液体貯留用タンク、Ｐ−１は液体供給用ポンプ、Ｉ−１は計装機器、Ｅ−１は液体用熱交換器、Ａ，Ｂは一括隔離区分である。
【図１】
2011257201.tif 000003
【図２】
2011257201.tif 000004
【図３】
2011257201.tif 000005
【図４】
2011257201.tif 000006
【図５】
2011257201.tif 000007
【図６】
2011257201.tif 000008
【図７】
2011257201.tif 000009
【図８】
2011257201.tif 000010
【図９】
2011257201.tif 000011
【図１０】
2011257201.tif 000012